(57)【要約】【課題】詰め替え作業を簡便に行うことができ、詰め替え時に内容物をこぼし難く、また本容器内の内容物が残留している場合であっても詰め替え作業を行うことができる詰め替え容器を提供する。【解決手段】容器本体２の口部２ａに装着され、容器本体２内に開口する連通孔３が形成された装着筒４と、装着筒４の容器軸Ｏ方向に沿う容器本体２の外側に配設されて本容器に当接され、かつ連通孔３を通して容器本体２内に連通する注出孔５ａが形成された注出部５と、注出部５と装着筒４とを連結し、かつ圧縮変形自在に形成された連結筒６と、連通孔３を閉塞するシール部７と、シール部７と注出部５との間に配設され、注出部５の、装着筒４に対する容器軸Ｏ方向に沿う容器本体２の内側に向けた移動に伴って、シール部７を押し込み連通孔３を開放させる押し込み部２１を備えていることを特徴とする。【選択図】図１
2013177182.tif 000002
【特許請求の範囲】
【請求項１】
本容器に詰め替える内容物が収容される容器本体と、
前記容器本体の口部に装着され、前記容器本体内に開口する連通孔が形成された装着筒と、
該装着筒の容器軸方向に沿う前記容器本体の外側に配設されて前記本容器に当接され、かつ前記連通孔を通して前記容器本体内に連通する注出孔が形成された注出部と、
該注出部と前記装着筒とを連結し、かつ圧縮変形自在に形成された連結筒と、
前記連通孔を閉塞するシール部と、
該シール部と前記注出部との間に配設され、該注出部の、前記装着筒に対する容器軸方向に沿う前記容器本体の内側に向けた移動に伴って、前記シール部を押し込み前記連通孔を開放させる押し込み部と、を備えていることを特徴とする詰め替え容器。
【請求項２】
請求項１記載の詰め替え容器であって、
前記装着筒、前記注出部、前記連結筒及び前記押し込み部は、同一の材質で一体に形成されていることを特徴とする詰め替え容器。
【請求項３】
請求項１または請求項２記載の詰め替え容器であって、
前記シール部には、前記押し込み部が係合する被係合部が配設されていることを特徴とする詰め替え容器。
【請求項４】
請求項１から請求項３の何れか１項に記載の詰め替え容器であって、
前記注出部は、前記本容器の口部内に挿入される筒体と、
該筒体に径方向の外側に向けて突設されるとともに、前記本容器の前記口部の開口端縁上に配置される当接部と、を備えていることを特徴とする詰め替え容器。
【発明の詳細な説明】
【技術分野】
【０００１】
本発明は、詰め替え容器に関する。
【背景技術】
【０００２】
従来、例えば下記特許文献１に記載されるような、本容器に詰め替える内容物が収容される容器本体と、容器本体の口部に装着され、口部を閉塞する中栓と、を備え、中栓を本容器の口部に螺着させた状態で詰め替えを行う詰め替え容器が知られている。この中栓には、内容物を注出するための注出口が形成されているとともに、注出口を閉塞するシール部が設けられている。シール部は、例えばプルトップが付設された蓋体からなる。
この詰め替え容器では、まずプルトップを引き上げて、中栓の注出口を開封する。次いで、詰め替え容器を正立姿勢（口部が上向きの姿勢）に配置し、倒立姿勢（口部が下向きの姿勢）とされた本容器の口部を、詰め替え容器の中栓に螺着する。この状態から、詰め替え容器と本容器とを上下反転させて、本容器を正立姿勢にするとともに、詰め替え容器を倒立姿勢にする。これにより、詰め替え容器内の内容物が、詰め替え容器及び本容器の各口部の内側を流通して、本容器内に詰め替えられる。
【先行技術文献】
【特許文献】
【０００３】
【特許文献１】特開２０００−１５９２４９号公報
【発明の概要】
【発明が解決しようとする課題】
【０００４】
しかしながら、上述した従来の詰め替え容器では、中栓の注出口を開封した後、中栓に本容器の口部を螺着し、その後、詰め替え容器と本容器を上下反転させる必要があるので、詰め替え作業が煩雑となっていた。
また、中栓の注出口を開封した後に、中栓に対して本容器の口部を螺着するため、その螺合作業中に誤って詰め替え容器を倒すと、詰め替え容器内の内容物がこぼれ出るおそれがあった。
さらに、中栓に本容器の口部を螺着する際には、本容器を倒立姿勢にするため、本容器内に内容物が残留していると、内容物がこぼれるおそれがある。したがって、本容器内の内容物を使い切った後でないと詰め替え作業を行い難かった。
【０００５】
本発明は、このような事情に鑑みてなされたものであって、詰め替え作業を簡便に行うことができ、詰め替え時に内容物をこぼし難く、また本容器内の内容物が残留している場合であっても詰め替え作業を行うことができる詰め替え容器を提供することを目的としている。
【課題を解決するための手段】
【０００６】
上記課題を解決するために、本発明は以下の手段を提案している。
本発明に係る詰め替え容器は、本容器に詰め替える内容物が収容される容器本体と、前記容器本体の口部に装着され、前記容器本体内に開口する連通孔が形成された装着筒と、該装着筒の容器軸方向に沿う前記容器本体の外側に配設されて前記本容器に当接され、かつ前記連通孔を通して前記容器本体内に連通する注出孔が形成された注出部と、該注出部と前記装着筒とを連結し、かつ圧縮変形自在に形成された連結筒と、前記連通孔を閉塞するシール部と、該シール部と前記注出部との間に配設され、該注出部の、前記装着筒に対する容器軸方向に沿う前記容器本体の内側に向けた移動に伴って、前記シール部を押し込み前記連通孔を開放させる押し込み部と、を備えていることを特徴としている。
【０００７】
本発明に係る詰め替え容器から本容器に内容物を詰め替える際は、まず、注出部を本容器に当接させて、詰め替え容器と本容器とを組み合わせる。この状態から、詰め替え容器の容器本体と、本容器とを容器軸方向に沿って相対的に接近移動させると、この移動に伴って押し込み部がシール部を容器軸方向に沿う容器本体側に向かって押し込む。これにより、シール部による連通孔の閉塞が解除され、連通孔が開放される。すると、注出部と装着筒とを連結する連結筒が容器軸方向に圧縮変形して、注出部と装着筒とが容器軸方向にさらに接近するとともに、押し込み部によってシール部が容器本体内へさらに押し込まれる。これにより、連通孔及び注出孔を通して、詰め替え容器の容器本体内と本容器内とが連通する。よって、詰め替え容器の容器本体内に収容されている内容物が、本容器内に注出され、詰め替え容器から本容器内に内容物が詰め替えられる。
【０００８】
そして、このような特徴により、本容器に注出部を当接させた状態にして、これら詰め替え容器及び本容器を組み合わせた後、容器本体と本容器とを容器軸方向に沿って相対的に接近移動させるという簡便な作業により、内容物を詰め替えることができるので、詰め替え作業を容易化することができる。
また、詰め替え時において、本容器に注出部を当接させるので、詰め替え容器を安定した姿勢で本容器に組み合わせることができる。したがって、内容物をこぼし難い。
さらに、上述したように、本容器に注出部を当接させることで詰め替え容器を安定化させることができるので、注出部及び押し込み部を滑らかに移動させることができ、過大な力を必要とせずにシール部を押し込んで連通孔を容易に開放させ易い。
また、詰め替え容器の開封と同時に内容物を本容器内に詰め替えられるので、本容器を倒立姿勢にすることなく詰め替え作業が行える。よって、本容器内に内容物が残留している場合であっても、内容物の詰め替え作業を行うことができる。
【０００９】
特に、本発明の構成によれば、注出部と装着筒とが圧縮変形自在に形成された連結筒により連結されているため、注出部と装着筒とを互いに容器軸方向に沿って接近移動させる際に、両者の移動が規制されることなく、滑らかに移動させることができる。加えて、注出部と装着筒とが連結筒により連結されているため、押し込み部によりシール部を押し込む際に、押し込み部がシール部に対して傾いたり、シール部から外れたりするのを抑制でき、連通孔を確実に開放することができるとともに、液漏れを防止することができる。
【００１０】
また、前記装着筒、前記注出部、前記連結筒及び前記押し込み部は、同一の材質で一体に形成されていてもよい。
【００１１】
この場合、装着筒、注出部、連結筒及び押し込み部が、同一の材質で一体に形成されているため、それぞれを別体で形成する場合に比べて部品点数の増加を抑制できるとともに、構造の簡素化を図り、組み立て性を向上させることができる。
【００１２】
また、前記シール部には、前記押し込み部が係合する被係合部が配設されていてもよい。
【００１３】
この場合、押し込み部がシール部の被係合部に係合しているので、開封前に、例えば、外力が加えられたり、注出部及び押し込み部の自重が作用したりした場合であっても、注出部及び押し込み部と、装着筒と、が相対的に位置ずれするのを抑制できる。
【００１４】
また、前記注出部は、前記本容器の口部内に挿入される筒体と、該筒体に径方向の外側に向けて突設されるとともに、前記本容器の前記口部の開口端縁上に配置される当接部と、を備えていてもよい。
【００１５】
この場合、注出部が、本容器の口部内に挿入される筒体と、本容器の口部の開口端縁上に配置される当接部と、を備えているので、内容物の詰め替え時に、本容器に対する詰め替え容器の姿勢をより一層確実に安定させることが可能になり、内容物をこぼし難くすることができる。
【発明の効果】
【００１６】
本発明に係る詰め替え容器によれば、詰め替え作業を簡便に行うことができ、詰め替え時に内容物をこぼし難く、また本容器内の内容物が残留している場合であっても詰め替え作業を行うことができる。
【図面の簡単な説明】
【００１７】
【図１】（ａ）は本発明の実施形態に係る詰め替え容器の断面図であり、（ｂ）は（ａ）のＡ−Ａ線に沿う断面図である。
【図２】図１の詰め替え容器を倒立姿勢にして、正立姿勢の本容器に組み合わせた状態を示す要部の断面図である。
【図３】図２の状態から詰め替え容器の容器本体と本容器とを接近移動させて、詰め替え容器内の内容物を本容器内に詰め替えている状態を示す要部の縦断面図である。
【発明を実施するための形態】
【００１８】
以下、本発明の実施形態について、図面を参照して説明する。
図１に示されるように、本実施形態の詰め替え容器１は、内容物が収容される容器本体２を備えており、この容器本体２から、別体の本容器３０（図２参照）に内容物を詰め替えるものである。
【００１９】
詰め替え容器１は、有底筒状の容器本体２と、容器本体２の口部２ａに装着され、容器本体２内に開口する連通孔３が形成された装着筒４と、装着筒４の容器軸Ｏ方向に沿う容器本体２の外側に配設されて本容器３０に当接され、かつ連通孔３を通して容器本体２内に連通する注出孔５ａが形成された注出部５と、注出部５と装着筒４とを連結し、かつ圧縮変形自在に形成された連結筒６と、連通孔３を閉塞するシール部７と、を備えている。なお、容器本体２、装着筒４、及びシール部７は、それぞれの中心軸線が共通軸上に配置されている。本実施形態ではこの共通軸を容器軸Ｏといい、容器軸Ｏ方向に沿う注出部５側を上側、容器本体２側を下側という。また、容器軸Ｏに直交する方向を径方向といい、容器軸Ｏ回りに周回する方向を周方向という。
【００２０】
容器本体２の口部２ａのうち、容器軸Ｏ方向に沿う中間部には、径方向の外側に向けて突出する突起部２ｂが周方向の全周に亘って形成されている。また、口部２ａの下端部には、径方向の外側に向けて突出するとともに、周方向の全周に亘って延びる環状のフランジ部２ｃが形成されている。なお、突起部２ｂは、周方向に沿って間欠的に形成してよく、また突起部２ｂに代えて雄ねじ部等を形成してもよい。
【００２１】
装着筒４は、容器本体２の口部２ａに装着される基筒８と、基筒８よりも小径とされ、口部２ａ内に嵌合されるシール筒９と、これら基筒８及びシール筒９の上端部同士を連結するとともに、口部２ａの開口端縁上に配置された環状の連結環１０と、を備えている。
【００２２】
基筒８は、下端縁が上述した口部２ａのフランジ部２ｃの上面に近接した状態で、口部２ａの突起部２ｂにアンダーカット嵌合されている。また、基筒８の上端部は、下端部に比べて外径が縮小した縮径部８ａとなっている。
連結環１０は、口部２ａの開口端縁に上方から当接している。そして、連結環１０の内周端部から下方に向けてシール筒９が延設されている。なお、連結環１０の内径は、シール筒９の内径よりも小さく形成されており、連結環１０の内周縁は、シール筒９の内周面よりも径方向の内側に位置している。
【００２３】
シール部７は、連通孔３に液密に嵌合された有頂筒状の栓状部材であり、連通孔３を閉塞する円板状の閉塞板７ａと、閉塞板７ａの外周縁から下方に向けて延設されてシール筒９内に嵌合された嵌合筒７ｂと、を備えている。シール部７は、閉塞板７ａの外周縁が連結環１０の内周縁に下方から当接するように、シール筒９内に嵌合されている。
【００２４】
また、閉塞板７ａには、後述する押し込み部２１が係合する被係合部１１が配設されている。被係合部１１は、閉塞板７ａから上方に向けて立設された環状の外側リング部１２と、外側リング部１２の内側に配設された環状の内側リング部１３と、を備えている。
【００２５】
外側リング部１２は、容器軸Ｏと同軸に配置されるとともに、その内周面は、上方に向かうに従い径方向の内側から外側に向けて延びる傾斜面とされている。これにより、外側リング部１２は、上方に向かうに従い内径が漸次拡大している。
内側リング部１３は、容器軸Ｏと同軸に配置されるとともに、容器軸Ｏ方向に沿う長さが外側リング部１２よりも短く形成されている。内側リング部１３の外周面は、上方に向かうに従い径方向の外側から内側に向けて延びる傾斜面とされ、これにより内側リング部１３は、上方に向かうに従い外径が漸次縮小している。
そして、これら外側リング部１２及び内側リング部１３間に押し込み部２１が係合、もしくはガイドされるように構成されている。なお、外側リング部１２及び内側リング部１３は、容器軸Ｏから径方向にずれて配置されている。
【００２６】
注出部５は、本容器３０の口部３１（図２参照）内に挿入される筒体１５と、筒体１５に径方向の外側に向けて突設されるとともに、本容器３０の口部３１の開口端縁上に配置される当接部１６と、を備えている。
筒体１５は、上述した外側リング部１２よりも小径に形成されるとともに、シール部７の上方で容器軸Ｏに沿って延在している。そして、筒体１５は、下端開口部が注出孔５ａとして下方に向けて開口しているとともに、上端開口部が上方に向けて開口している。
当接部１６は、筒体１５の下端縁に全周に亘って形成されている。また、当接部１６には、上方に向けて突出するリブ１７が周方向に間隔をあけて複数形成されている。これらリブ１７は、当接部１６の内周縁から外周縁に向けて径方向に沿って延在している。なお、リブ１７に代えて、当接部１６に溝を形成しても構わない。
【００２７】
連結筒６は、装着筒４、注出部５及び押し込み部２１と同一の材質で一体的に形成されるとともに、これら装着筒４、注出部５及び押し込み部２１よりも薄肉に形成されて圧縮変形自在とされている。具体的に、連結筒６は、下方から上方に向かうに従い漸次縮径するテーパ筒とされ、その下端縁が装着筒４における連結環１０の内周縁に連結されるとともに、上端縁が当接部１６の外周縁に連結されている。したがって、連結筒６は、容器軸Ｏ方向に沿う装着筒４と注出部５との間を径方向の外側から取り囲んでおり、その内側が装着筒４と注出部５の筒体１５とを連通させる連通空間Ｓを構成している。
【００２８】
ここで、注出部５の当接部１６のうち、被係合部１１における外側リング部１２と内側リング部１３との間に容器軸Ｏ方向に対向する部分には、連通空間Ｓ内を下方に向けて延在する押し込み部２１が配設されている。押し込み部２１は、容器軸Ｏ方向から見た平面視で円弧状をなす半割状の筒体とされ、その上端縁が当接部１６の下面に連設され、下端縁が被係合部１１における外側リング部１２と内側リング部１３との間に係合されている。これにより、装着筒４と注出部５との相対的な移動が規制されるとともに、連結筒６の変形が抑制されている。なお、図示の例では、押し込み部２１の容器軸Ｏを中心とする角度は１８０度以下になっている。なお、押し込み部２１は、容器軸Ｏから径方向にずれて配置されている。
【００２９】
また、本実施形態の詰め替え容器１は、装着筒４、注出部５及び連結筒６を上方から覆う有頂筒状のオーバーキャップ２２を備えている。このオーバーキャップ２２は、筒体１５の上端開口部に対して容器軸Ｏ方向で対向する天板部２３と、天板部２３の外周縁から下方に向かうに従い漸次拡径されたテーパ筒部２４と、を備えている。テーパ筒部２４は、装着筒４、注出部５及び連結筒６を径方向の外側から取り囲むように配設され、その下端縁が装着筒４の縮径部８ａに外嵌されている。
【００３０】
次に、詰め替え容器１から本容器３０に内容物を詰め替える手順について説明する。
まず、図２に示すように、オーバーキャップ２２を取り外した後、詰め替え容器１を倒立姿勢にするとともに、本容器３０を正立姿勢にした状態で、これら詰め替え容器１の口部２ａと本容器３０の口部３１とを対向させて配置する。ここで、詰め替え容器１を倒立姿勢とすることで、詰め替え容器１における上下が反転することとなり、倒立姿勢の詰め替え容器１において、容器軸Ｏ方向に沿った注出部５側が下側、容器本体２側が上側となる。
【００３１】
この状態で、詰め替え容器１と本容器３０とを、互いの容器軸Ｏが同軸となるように位置合わせし、注出部５の筒体１５を本容器３０の口部３１内に挿入する。このとき、注出部５における当接部１６のリブ１７が本容器３０の口部３１の開口端縁に当接する位置まで、詰め替え容器１と本容器３０とを容器軸Ｏ方向に沿って接近させ、詰め替え容器１と本容器３０とを組み合わせる。
【００３２】
なお、詰め替え容器１は、連通孔３がシール部７で閉塞されていることから、詰め替え容器１を倒立姿勢としても、容器本体２内の内容物が連通孔３を通して外部に流出することはない。また、シール部７の閉塞板７ａの外周縁が、連結環１０の内周縁に上方から当接しているため、内容物の重量によってシール部７が開放されてしまうことが防止されている。
【００３３】
続いて、詰め替え容器１と本容器３０とを容器軸Ｏ方向に沿ってさらに互いに接近移動させると、本容器３０における口部３１の開口端縁が当接部１６を容器本体２側（図３中上方）に向けて押し込む。すると、図３に示すように、当接部１６の押し込み部２１がシール部７を上方（容器本体２側）に向けて押し込み、シール部７がシール筒９から離脱するとともに、押し込み部２１とシール部７の被係合部１１との係合が解除されることで、連通孔３が開放される。そして、シール部７が離脱することで、押し込み部２１による装着筒４と注出部５との相対的な移動、及び連結筒６の圧縮変形の規制が解除される。
【００３４】
そのため、注出部５と装着筒４とを容器軸Ｏ方向に沿ってさらに接近させることで、注出部５と装着筒４とを連結する連結筒６が容器軸Ｏ方向に圧縮変形するとともに、押し込み部２１によりシール部７が容器本体２内へさらに押し込まれる。これにより、連通孔３、連通空間Ｓ及び注出孔５ａを通して、詰め替え容器１の容器本体２内と本容器３０内とが連通する。よって、詰め替え容器１の容器本体２内に収容されている内容物が、本容器３０内に注出され、詰め替え容器１から本容器３０内に内容物が詰め替えられる。
【００３５】
なお、詰め替え作業中において、当接部１６のリブ１７と、本容器３０における口部３１の開口端縁と、の間の隙間を通して、本容器３０内及び詰め替え容器１の容器本体２内と、これら容器１，３０の外部との空気置換を効率よく行うことができるようになっている。そのため、本容器３０内にスムーズに内容物を注出して、詰め替え作業を効率良く行うことができる。
【００３６】
このように、本実施形態では、本容器３０の口部３１の開口端縁に詰め替え容器１の当接部１６を当接させた状態にして、これら詰め替え容器１及び本容器３０を組み合わせた後、容器本体２と本容器３０とを容器軸Ｏ方向に沿って相対的に接近移動させるという簡便な作業により、内容物を詰め替えることができるので、詰め替え作業を容易化することができる。
また、詰め替え時において、本容器３０の口部３１の開口端縁に当接部１６を当接させるので、詰め替え容器１を安定した姿勢で本容器３０に組み合わせることができる。したがって、内容物をこぼし難い。
【００３７】
さらに、上述したように、当接部１６を口部３１の開口端縁に当接させることで詰め替え容器１を安定化させることができるので、注出部５及び押し込み部２１を滑らかに移動させることができ、過大な力を必要とせずにシール部７を押し込んで連通孔３を容易に開放させ易い。
また、詰め替え容器１の開封と同時に内容物を本容器３０内に詰め替えられるので、本容器３０を倒立姿勢にすることなく詰め替え作業が行える。よって、本容器３０内に内容物が残留している場合であっても、内容物の詰め替え作業を行うことができる。
【００３８】
特に、本実施形態によれば、注出部５と装着筒４とが圧縮変形自在に形成された連結筒６により連結されているため、注出部５と装着筒４とを容器軸Ｏ方向に沿って互いに接近移動させる際に、両者の移動が規制されることなく、滑らかに移動させることができる。加えて、注出部５と装着筒４とが連結筒６により連結されているため、押し込み部２１によりシール部７を押し込む際に、押し込み部２１がシール部７に対して傾いたり、シール部７から外れたりするのを抑制した上で、連通孔３を開放することができるとともに、液漏れも防止できる。
【００３９】
さらに、本実施形態の連結筒６は、上方から下方に向かうに従い漸次拡径するテーパ筒状に形成されているため、注出部５と装着筒４とを容器軸Ｏ方向に沿って互いに接近移動させる際に、連結筒６が滑らかに圧縮変形することになる。そのため、注出部５及び押し込み部２１と、装着筒４と、の位置ずれを抑制し、シール部７を押し込み部２１により押し込むことができる。
【００４０】
また、本実施形態では、装着筒４、注出部５、連結筒６及び押し込み部２１は、同一の材質で一体に形成されているため、それぞれを別体で形成する場合に比べて部品点数の増加を抑制できるとともに、構造の簡素化を図り、組み立て性を向上させることができる。
さらに、押し込み部２１がシール部７の被係合部１１に係合しているので、開封前に、例えば、外力が加えられたり、注出部５及び押し込み部２１の自重が作用したりしても、連結筒６が変形させられながら注出部５及び押し込み部２１と、装着筒４と、が相対的に位置ずれするのを抑制できる。
【００４１】
また、注出部５が、本容器３０の口部３１内に挿入される筒体１５と、本容器３０の口部３１の開口端縁上に配置される当接部１６と、を備えているので、内容物の詰め替え時に、本容器３０に対する詰め替え容器１の姿勢をより一層確実に安定させることが可能になり、内容物をこぼし難くすることができる。
【００４２】
ところで、上述したように本実施形態では、押し込み部２１が容器軸Ｏから径方向にずれて配置されているため、押し込み部２１がシール部７を押し込む際、シール部７の外周縁部を押圧することになる。そのため、応力がシール部７に部分的に作用して、シール部７は回動しながらシール筒９から離脱する。これにより、シール部７が容易に開放される。
また、被係合部１１のうち、内側リング部１３が外側リング部１２に対して容器軸Ｏ方向に沿う長さが短く形成されているため、押し込み部２１の押し込みによりシール部７がシール筒９から離脱する際に、押し込み部２１が被係合部１１から離間し易くなっている。
【００４３】
以上、本発明の実施形態について図面を参照して詳述したが、具体的な構成はこの実施形態に限られるものではなく、本発明の要旨を逸脱しない範囲の設計変更等も含まれる。
【００４４】
例えば、上述した実施形態では、押し込み部２１を円弧状に形成した場合について説明したが、これに限らず、筒状、棒状等、種々の形状を採用することが可能である。
さらに、被係合部１１はリング部１２，１３に限らず、種々の形状を採用することが可能である。
また、上述した実施形態では、被係合部１１を一対のリング部１２，１３に形成したが、これに限らず、少なくとも容器軸Ｏ方向で押し込み部２１と重なる位置に形成されていれば構わず、何れか一方のリング部のみとしたり、円弧壁部や凹部としたりしてもよい。
また、上述した実施形態では、装着筒４、注出部５、連結筒６及び押し込み部２１は、同一の材質で一体に形成されていたが、別体で形成してもよい。
【００４５】
また、連結筒６を蛇腹状にしたり、折り目や薄肉部分を設けたりすることで、連結筒６の圧縮変形を促すような構成にしても構わない。
さらに、上述した実施形態ではシール部７がシール筒９内に嵌合される場合について説明したが、これに限らず、連通孔３を閉塞する構成であれば、容器本体２の口部２ａ内に嵌合される構成でも構わない。例えば、破断可能なフィルムやシート等によりシール部７を形成しても構わない。
【００４６】
また、上述した実施形態では、注出部５が筒体１５と当接部１６を有する場合について説明したが、少なくとも本容器３０の口部３１に当接可能で、かつ連通孔３を通して容器本体２内に連通する注出孔５ａが形成されていれば、筒体１５は設けなくても構わない。
さらに、装着筒４、注出部５、連結筒６及び押し込み部２１は、それぞれ別体で設けても構わない。
また、押し込み部２１は、シール部７と注出部５との間に配設され、装着筒４に対する容器軸Ｏ方向に沿う移動に伴って、シール部７を押し込み可能であれば、構わない。例えば、上述した実施形態において、押し込み部２１が当接部１６及びシール部７に当接した場合について説明したが、図１に示す状態においては当接部１６やシール部７に対して離間していても構わない。
【００４７】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００４８】
１…詰め替え容器
２…容器本体
２ａ…口部
３…連通孔
４…装着筒
５…注出部
５ａ…注出孔
６…連結筒
７…シール部
２１…押し込み部
３０…本容器
３１…口部
Ｏ…容器軸
【図１】
2013177182.tif 000003
【図２】
2013177182.tif 000004
【図３】
2013177182.tif 000005